(57)【特許請求の範囲】
【請求項１】
雌型のコネクタハウジングを有する第１コネクタと、雄型のコネクタハウジングを有する第２コネクタとを嵌合させるコネクタ嵌合用レバーであって、
前記雄型のコネクタハウジングを保持する保持部と、該保持部に回動可能に取り付けられかつ前記雌型のコネクタハウジングに引っ掛かるハンドル部と、を備え、
前記保持部が、互いの間に前記雄型のコネクタハウジングを位置付ける一対の側板と、該一対の側板の一端から互いに近付く方向に延設された押圧板と、前記側板の内表面から前記雄型のコネクタハウジング側に出没自在に構成され、前記押圧板との間に前記雄型のコネクタハウジングの一部を位置付ける少なくとも１つの係止突起と、を有し、
前記ハンドル部が回動されて前記雄型のコネクタハウジングが前記雌型のコネクタハウジング内に挿入されることによって、前記係止突起が前記雄型のコネクタハウジング側から没して、前記保持部が前記雄型のコネクタハウジングから外れる
ことを特徴とするコネクタ嵌合用レバー。
【請求項２】
前記保持部に凹部または貫通孔が設けられ、
前記ハンドル部に前記凹部または前記貫通孔に係止する仮係止突起が設けられている
ことを特徴とする請求項１に記載のコネクタ嵌合用レバー。
【請求項３】
雌型のコネクタハウジングを有する第１コネクタと、雄型のコネクタハウジングを有する第２コネクタと、で構成され、請求項１または請求項２に記載のコネクタ嵌合用レバーが用いられて前記雄型のコネクタハウジングが前記雌型のコネクタハウジング内に挿入されて前記第1コネクタと前記第２コネクタとが嵌合されたコネクタであって、
前記雄型のコネクタハウジングが、直方体状のハウジング本体と、該ハウジング本体の対向する一対の側面それぞれから突出した鍔部と、を有し、
前記鍔部が前記雌型のコネクタハウジングの開口部を構成する縁部の上に載せられており、
前記雌型のコネクタハウジングの外表面に、前記コネクタ嵌合用レバーのハンドル部が引っ掛かる円柱状の凸部が設けられている
ことを特徴とするコネクタ。
【請求項４】
請求項３に記載のコネクタであって、
請求項２に記載のコネクタ嵌合用レバーを用いて嵌合され、
前記雌型のコネクタハウジングの外表面に、前記第１コネクタと前記第２コネクタとの嵌合方向に延びた仮係止解除リブが設けられており、該仮係止解除リブが、前記保持部と前記ハンドル部との間に進入することにより、前記凹部または前記貫通孔と前記仮係止突起との係止を解除する
ことを特徴とするコネクタ。
【発明の詳細な説明】
【技術分野】
【０００１】
本発明は、雄・雌両コネクタを嵌合させるコネクタ嵌合用レバー、及び、該コネクタ嵌合用レバーによって雄・雌両コネクタが嵌合されたコネクタに関するものである。
【背景技術】
【０００２】
図１１は、従来のレバー嵌合式コネクタを示す平面図である。同図に示すように、レバー嵌合式コネクタ２１０は、雄コネクタ２０２に取り付けられたレバー２０１を回動させることにより、低い挿入力で雄コネクタ２０２を雌コネクタ２０３に嵌合させるものである。レバー２０１には、嵌合初期段階において、雄コネクタ２０２に係止することにより、レバー２０１の雌コネクタ２０３側への回動を不能にする仮止め係当片２１３が設けられている。また、雌コネクタ２０３には、仮止め係当片２１３の雄コネクタ２０２への係止を解除する解除板部が設けられている（特許文献１を参照。）。
【先行技術文献】
【特許文献】
【０００３】
【特許文献１】特開２００９−１８７８６３号公報
【発明の概要】
【発明が解決しようとする課題】
【０００４】
しかしながら、上述した従来のレバー嵌合式コネクタ２１０においては、以下に示す問題があった。すなわち、レバー嵌合式コネクタ２１０は、雄コネクタ２０２と雌コネクタ２０３の嵌合が終了しても、レバー２０１が雄コネクタ２０２に取り付けられたままであるので、該レバー嵌合式コネクタ２１０が搭載される車輌の重量が減らないという問題があった。
【０００５】
したがって、本発明は、第１コネクタと第２コネクタの嵌合後に自動的に外れるコネクタ嵌合用レバー、及び、該コネクタ嵌合用レバーによって第１コネクタと第２コネクタとが嵌合されたコネクタを提供することを目的とする。
【課題を解決するための手段】
【０００６】
上記目的を達成するために請求項１に記載された発明は、雌型のコネクタハウジングを有する第１コネクタと、雄型のコネクタハウジングを有する第２コネクタとを嵌合させるコネクタ嵌合用レバーであって、前記雄型のコネクタハウジングを保持する保持部と、該保持部に回動可能に取り付けられかつ前記雌型のコネクタハウジングに引っ掛かるハンドル部と、を備え、前記保持部が、互いの間に前記雄型のコネクタハウジングを位置付ける一対の側板と、該一対の側板の一端から互いに近付く方向に延設された押圧板と、前記側板の内表面から前記雄型のコネクタハウジング側に出没自在に構成され、前記押圧板との間に前記雄型のコネクタハウジングの一部を位置付ける少なくとも１つの係止突起と、を有し、前記ハンドル部が回動されて前記雄型のコネクタハウジングが前記雌型のコネクタハウジング内に挿入されることによって、前記係止突起が前記雄型のコネクタハウジング側から没して、前記保持部が前記雄型のコネクタハウジングから外れることを特徴とするコネクタ嵌合用レバーである。
【０００７】
請求項２に記載された発明は、請求項１に記載された発明において、前記保持部に凹部または貫通孔が設けられ、前記ハンドル部に前記凹部または前記貫通孔に係止する仮係止突起が設けられていることを特徴とするものである。
【０００８】
請求項３に記載された発明は、雌型のコネクタハウジングを有する第１コネクタと、雄型のコネクタハウジングを有する第２コネクタと、で構成され、請求項１または請求項２に記載のコネクタ嵌合用レバーが用いられて前記雄型のコネクタハウジングが前記雌型のコネクタハウジング内に挿入されて前記第1コネクタと前記第２コネクタとが嵌合されたコネクタであって、前記雄型のコネクタハウジングが、直方体状のハウジング本体と、該ハウジング本体の対向する一対の側面それぞれから突出した鍔部と、を有し、前記鍔部が前記雌型のコネクタハウジングの開口部を構成する縁部の上に載せられており、前記雌型のコネクタハウジングの外表面に、前記コネクタ嵌合用レバーのハンドル部が引っ掛かる円柱状の凸部が設けられていることを特徴とするコネクタである。
【０００９】
請求項４に記載された発明は、請求項３に記載のコネクタであって、請求項２に記載のコネクタ嵌合用レバーを用いて嵌合され、前記雌型のコネクタハウジングの外表面に、前記第１コネクタと前記第２コネクタとの嵌合方向に延びた仮係止解除リブが設けられており、該仮係止解除リブが、前記保持部と前記ハンドル部との間に進入することにより、前記凹部または前記貫通孔と前記仮係止突起との係止を解除することを特徴とするものである。
【発明の効果】
【００１０】
請求項１に記載された発明によれば、前記雄型のコネクタハウジングを保持する保持部と、該保持部に回動可能に取り付けられかつ前記雌型のコネクタハウジングに引っ掛かるハンドル部と、を備え、前記保持部が、互いの間に前記雄型のコネクタハウジングを位置付ける一対の側板と、該一対の側板の一端から互いに近付く方向に延設された押圧板と、前記側板の内表面から前記雄型のコネクタハウジング側に出没自在に構成され、前記押圧板との間に前記雄型のコネクタハウジングの一部を位置付ける少なくとも１つの係止突起と、を有し、前記ハンドル部が回動されて前記雄型のコネクタハウジングが前記雌型のコネクタハウジング内に挿入されることによって、前記係止突起が前記雄型のコネクタハウジング側から没して、前記保持部が前記雄型のコネクタハウジングから外れるので、第１コネクタと第２コネクタの嵌合後に自動的に外れるコネクタ嵌合用レバーを提供することができる。
【００１１】
請求項２に記載された発明によれば、前記保持部に凹部または貫通孔が設けられ、前記ハンドル部に前記凹部または前記貫通孔に係止する仮係止突起が設けられているので、コネクタの嵌合作業開始時におけるハンドル部の位置を規制することができ、そのためにコネクタ嵌合作業を容易にすることができる。
【００１２】
請求項３に記載された発明によれば、前記雄型のコネクタハウジングが、直方体状のハウジング本体と、該ハウジング本体の対向する一対の側面それぞれから突出した鍔部と、を有し、前記鍔部が前記雌型のコネクタハウジングの開口部を構成する縁部の上に載せられており、前記雌型のコネクタハウジングの外表面に、前記コネクタ嵌合用レバーのハンドル部が引っ掛かる円柱状の凸部が設けられているので、第１コネクタと第２コネクタの嵌合後にコネクタ嵌合用レバーが自動的に外れる安価で軽量なコネクタを提供することができる。
【００１３】
請求項４に記載された発明によれば、前記雌型のコネクタハウジングの外表面に、前記第１コネクタと前記第２コネクタとの嵌合方向に延びた仮係止解除リブが設けられており、該仮係止解除リブが、前記保持部と前記ハンドル部との間に進入することにより、前記凹部または前記貫通孔と前記仮係止突起との係止を解除するので、コネクタ嵌合用レバーが取り付けられた状態の第２コネクタの一部を第１コネクタ内に挿入することで、凹部または貫通孔と仮係止突起との係止を解除することができ、そのためにコネクタ嵌合作業を容易にすることができる。
【図面の簡単な説明】
【００１４】
【図１】本発明の一実施の形態にかかるコネクタ嵌合用レバーの斜視図である。
【図２】図１に示されたコネクタ嵌合用レバーの分解図である。
【図３】本発明の一実施の形態にかかるコネクタを構成する第２コネクタの斜視図である。
【図４】本発明の一実施の形態にかかるコネクタを構成する第１コネクタの斜視図である。
【図５】図１に示されたコネクタ嵌合用レバーを用いたコネクタの嵌合方法を説明する説明図であり、第１コネクタと第２コネクタとが分離した状態を示す図である。
【図６】図１に示されたコネクタ嵌合用レバーを用いたコネクタの嵌合方法を説明する説明図であり、図５に示された第２コネクタをコネクタ嵌合用レバーに取り付けた状態を示す図である。
【図７】図１に示されたコネクタ嵌合用レバーを用いたコネクタの嵌合方法を説明する説明図であり、図６に示された第２コネクタの一部を第１コネクタ内に挿入した状態を示す図である。
【図８】図１に示されたコネクタ嵌合用レバーを用いたコネクタの嵌合方法を説明する説明図であり、図７に示されたコネクタ嵌合用レバーのハンドル部を回動させた状態を示す図である。
【図９】図８に示されたコネクタ嵌合用レバー及びコネクタの平面図である。
【図１０】図１に示されたコネクタ嵌合用レバーを用いたコネクタの嵌合方法を説明する説明図であり、第１コネクタに嵌合した第２コネクタからコネクタ嵌合用レバーが外れた状態を示す図である。
【図１１】従来のレバー嵌合式コネクタを示す平面図である。
【発明を実施するための形態】
【００１５】
本発明の一実施の形態にかかる「コネクタ嵌合用レバー」、「コネクタ」を、図１〜１０を参照して説明する。
【００１６】
図１に示すように、本発明の「コネクタ嵌合用レバー１」は、雌型のコネクタハウジング５を有する第１コネクタ１５（図４を参照。）と、雄型のコネクタハウジング４を有する第２コネクタ１４（図３を参照。）とを低い挿入力で嵌合させるものである。また、本発明の「コネクタ１０」は、自動車のワイヤハーネスを構成するものであり、第１コネクタ１５と第２コネクタ１４とで構成されている。
【００１７】
まず、第１コネクタ１５及び第２コネクタ１４の構成について説明する。
【００１８】
図３に示すように、第２コネクタ１４は、雄型のコネクタハウジング４と、このコネクタハウジング４内に収容された複数の雌型の端子金具（不図示）と、を備えている。前記コネクタハウジング４は、合成樹脂で構成されており、直方体状のハウジング本体４０と、該ハウジング本体４０の対向する一対の側面４０ｃ，４０ｄそれぞれから突出した鍔部４１と、を有している。ハウジング本体４０には、前記端子金具を収容する複数のキャビティ４２が設けられている。このキャビティ４２は、ハウジング本体４０の上面４０ａ及び下面４０ｂに開口している。また、各キャビティ４２の上面４０ａ側の開口部からは前記端子金具に接続された電線が引き出されているが、図示は省略している。また、前記一対の鍔部４１は、側面４０ｃ，４０ｄの上端（上面４０ａ寄りの端を言う。）から突出している。
【００１９】
図４に示すように、第１コネクタ１５は、雌型のコネクタハウジング５と、このコネクタハウジング５内に収容された複数の雄型の端子金具（不図示）と、を備えている。前記コネクタハウジング５は、合成樹脂で構成されており、長方形状の底壁５３と、底壁５３の外縁から立設した４つの側壁５１，５２と、を有している（対向する一対の側壁には符号５１を付し、対向する他の一対の側壁には符号５２を付す。）。このようにコネクタハウジング５は、底壁５３と対向する側に開口部５０が設けられた箱形に形成されている。前記端子金具は、底壁５３に保持されている。
【００２０】
また、前記一対の側壁５１の外表面には、後述するコネクタ嵌合用レバー１のハンドル部３が引っ掛かる円柱状の凸部５４と、凸部５４の下部から底壁５３側に直線状に延びたリブ５５と、第１コネクタ１５と第２コネクタ１４との嵌合方向に延びた仮係止解除リブ５６と、が設けられている。凸部５４及び仮係止解除リブ５６の機能については後述する。
【００２１】
上述した第１コネクタ１５と第２コネクタ１４は、図１０に示すように、雌型のコネクタハウジング５内に雄型のコネクタハウジング４のハウジング本体４０が挿入され、第１コネクタ１５の雄型の端子金具が第２コネクタ１４の雌型の端子金具内に挿入される格好で嵌合する。また、雄型のコネクタハウジング４の一対の鍔部４１は、嵌合状態において雌型のコネクタハウジング５の開口部５０を構成する縁部５０ａの上に載せられている。
【００２２】
次に、コネクタ嵌合用レバー１の構成について説明する。
【００２３】
図２に示すように、コネクタ嵌合用レバー１は、雄型のコネクタハウジング４を保持する保持部２と、該保持部２に回動可能に取り付けられかつ雌型のコネクタハウジング５に引っ掛かるハンドル部３と、の２部品で構成されている。これら保持部２及びハンドル部３は、合成樹脂で構成されている。
【００２４】
上記保持部２は、互いの間に雄型のコネクタハウジング４を位置付ける一対の側板２１と、該一対の側板２１の上端、すなわち一端、から互いに近付く方向に延設された押圧板２３と、各側板２１の長手方向の一端同士を連結した第２側板２２と、各側板２１の内表面から突出した複数の係止突起２４と、を有している。本実施形態では、各側板２１に２つずつ計４つの係止突起２４が設けられている。各係止突起２４は、断面三角形状に形成されている。また、側板２１には、各係止突起２４を囲むようにコ字状の切り込み２５が形成されている。このことによって各係止突起２４は、側板２１の内表面から雄型のコネクタハウジング４側に出没自在に構成されている。このような保持部２は、図６に示すように、複数の係止突起２４と一対の押圧板２３との間に雄型のコネクタハウジング４の一対の鍔部４１を位置付けることで雄型のコネクタハウジング４を保持する。
【００２５】
さらに、上記保持部２は、ハンドル部３を回動可能に取り付ける一対の取付凸部２６と、ハンドル部３をコネクタ嵌合作業時以外は移動しないように位置を規制する貫通孔２７及び当接板２８を有している。前記一対の取付凸部２６は、各側板２１の外表面から円柱状に突出している。前記貫通孔２７は、各側板２１に貫通形成されている。また、本発明では、貫通孔２７の代わりに、側板２１の外表面から凹に形成された凹部を有していても良い。前記当接板２８は、各側板２１の下端かつ貫通孔２７の近傍に設けられている。
【００２６】
上記ハンドル部３は、互いの間に一対の側板２１を位置付ける一対の板部３１と、これら一対の板部３１の長手方向の一端同士を連結した連結部３２と、上記貫通孔２７に係止する一対の仮係止突起３４と、を有している。前記仮係止突起３４は、各板部３１の内表面から突出しており、断面三角形状に形成されている。また、板部３１には、各仮係止突起３４を囲むようにコ字状の切り込み３５が形成されている。このことによって各仮係止突起３４は、板部３１の内表面から側板２１側に出没自在に構成されている。この仮係止突起３４が貫通孔２７に係止することにより、コネクタ嵌合作業時以外にハンドル部３が移動することが規制される。また、図１に示すように、仮係止突起３４が貫通孔２７に係止した状態で、板部３１は上記当接板２８に当接する。このことにより、ハンドル部３が当接板２８より下側に移動することが規制される。
【００２７】
また、上記一対の板部３１には、上記一対の取付凸部２６を内側に位置付ける取付孔部３３と、上記凸部５４を移動可能に位置付ける引っ掛かり溝３６と、が設けられている。前記取付孔部３３は、板部３１の長手方向の他端に設けられている。前記引っ掛かり溝３６は、板部３１の内表面から凹に形成されている。また、引っ掛かり溝３６の一端部及び他端部は、板部３１の外縁に開口している。上記凸部５４は、ハンドル部３が保持部２に対して回動されることにより、引っ掛かり溝３６の一端部から引っ掛かり溝３６内に進入して他端部から引っ掛かり溝３６外に出る。すなわち、本発明では、凸部５４が引っ掛かり溝３６内に位置付けられた状態を、「ハンドル部３が雌型のコネクタハウジング５に引っ掛かる」と言う。
【００２８】
このようなハンドル部３は、一対の板部３１間の間隔が押し広げられて保持部２に取り付けられる。また、貫通孔２７と仮係止突起３４との係止は、コネクタ嵌合作業時に上記仮係止解除リブ５６が側板２１と板部３１との間に進入し、側板２１と板部３１との間隔が大きくなることによって解除される。
【００２９】
続いて、上述したコネクタ嵌合用レバー１を用いて第１コネクタ１５と第２コネクタ１４とを嵌合させる方法を、図５〜１０を参照しながら説明する。
【００３０】
図５に示すように、予め仮係止突起３４を貫通孔２７に係止させた状態としておき、次に、図６に示すように、複数の係止突起２４と一対の押圧板２３との間にコネクタハウジング４の一対の鍔部４１を位置付けて、第２コネクタ１４をコネクタ嵌合用レバー１の保持部２に取り付ける。そして、図７に示すように、コネクタハウジング４の下端部分を第１コネクタ１５のコネクタハウジング５内に挿入するとともに、一対の側板２１間にコネクタハウジング５の上端部分を位置付ける。この状態で、第１コネクタ１５及び第２コネクタ１４の端子金具同士はまだ接続されていない。また、このように第２コネクタ１４及びコネクタ嵌合用レバー１を第１コネクタ１５上にセットすることにより、凸部５４が引っ掛かり溝３６の一端部から引っ掛かり溝３６内に進入すると同時に、仮係止解除リブ５６が側板２１と板部３１との間に進入して貫通孔２７と仮係止突起３４との係止が解除される。
【００３１】
続いて、図８に示すように、ハンドル部３を回動させて一対の押圧板２３でコネクタハウジング４をコネクタハウジング５側に押圧することにより、第１コネクタ１５と第２コネクタ１４とを嵌合させる。また、第１コネクタ１５と第２コネクタ１４とが嵌合する直前に、図９に示すように、コネクタハウジング５の縁部５０ａが複数の係止突起２４に内側から当たり、これら複数の係止突起２４をコネクタハウジング４から離れる側に押す。このことによって複数の係止突起２４がコネクタハウジング４側から没して、保持部２がコネクタハウジング４から外れる。その後コネクタハウジング４がコネクタハウジング５側にさらに押し込まれて第１コネクタ１５と第２コネクタ１４とが嵌合する。また、第１コネクタ１５と第２コネクタ１４とが嵌合するのと同時に凸部５４が引っ掛かり溝３６の他端部から引っ掛かり溝３６外に出て、コネクタ嵌合用レバー１が第１コネクタ１５及び第２コネクタ１４から外れる。
【００３２】
このように、本発明では、第１コネクタ１５と第２コネクタ１４の嵌合後にコネクタ嵌合用レバー１が自動的に外れるので、コネクタ嵌合用レバー１を他のコネクタ１０の嵌合作業に再利用することができる。また、このコネクタ嵌合用レバー１によって第１コネクタ１５と第２コネクタ１４とが嵌合されて組み立てられたコネクタ１０は、完成品の状態でコネクタ嵌合用レバー１が外れているので、コネクタ嵌合用レバー１が含まれない分、軽量化とコストダウンを図ることができる。
【００３３】
また、本発明では、コネクタ嵌合用レバー１にハンドル部３の位置を規制する仮係止構造、すなわち貫通孔２７と仮係止突起３４、が設けられており、第１コネクタ１５に仮係止解除構造、すなわち仮係止解除リブ５６、が設けられているので、第２コネクタ１４及びコネクタ嵌合用レバー１を第１コネクタ１５上に載せるだけで、凸部５４を引っ掛かり溝３６内に位置付けることと、貫通孔２７と仮係止突起３４の係止解除とを行うことができ、コネクタ嵌合作業を容易にすることができる。
【００３４】
なお、前述した実施形態は本発明の代表的な形態を示したに過ぎず、本発明は、実施形態に限定されるものではない。すなわち、本発明の骨子を逸脱しない範囲で種々変形して実施することができる。
【符号の説明】
【００３５】
１  コネクタ嵌合用レバー
２  保持部
３  ハンドル部
４  雄型のコネクタハウジング
５  雌型のコネクタハウジング
１０  コネクタ
１４  第２コネクタ
１５  第１コネクタ
２１  側板
２３  押圧板
２４  係止突起
２７  貫通孔
３４  仮係止突起
【図１】
0005706768.tif 000002
【図２】
0005706768.tif 000003
【図３】
0005706768.tif 000004
【図４】
0005706768.tif 000005
【図５】
0005706768.tif 000006
【図６】
0005706768.tif 000007
【図７】
0005706768.tif 000008
【図８】
0005706768.tif 000009
【図９】
0005706768.tif 000010
【図１０】
0005706768.tif 000011
【図１１】
0005706768.tif 000012